(57)【特許請求の範囲】
【請求項１】
１つまたは複数のゲッタシステムを含有した太陽エネルギーコレクタ受領チューブであって、
前記ゲッタシステムの各々が、
ベース（１０１；３０１；４０１；６０１）と、
一列でもってあるいは複数の列でもって前記ベース（１０１；３０１；４０１；６０１）上に配置された、ゲッタ材料からなるゲッタピル（１０２；２０２；３０２；４０２；４１２；５０２；６０２）と、
前記ベース上に固定されているとともに前記ゲッタピルを囲んでいる閉込用の金属製メッシュ（１０３；３０３；４１３；４２３；５１３；６０３）と、
を備えているような、受領チューブにおいて、
前記ゲッタピル（１０２；２０２；３０２；４０２；４１２；５０２；６０２）の高さが、一様とされ、
その高さが、１〜１０ｍｍであり、好ましくは、２〜６ｍｍであり、
前記金属製メッシュ（１０３；３０３；４１３；４２３；５１３；６０３）が、非一様な高さを有したものとされているとともに、この金属製メッシュの最小高さと最大高さとによって規定される少なくとも１つの凹所（１０４；１１４；２０４；２０５；２１４；２１５）を有し、
前記金属製メッシュの前記最小高さが、前記ゲッタピルの高さに等しいものとされ、
前記金属製メッシュの前記最大高さが、前記ゲッタピルの高さと比較して、１．０５〜２倍とされ、好ましくは、１．２〜１．５倍とされていることを特徴とする受領チューブ。
【請求項２】
請求項１記載の受領チューブにおいて、
前記ゲッタピルの直径が、１５〜３５ｍｍとされ、好ましくは１８〜２５ｍｍとされ、
前記ゲッタピルの直径と高さとの比（直径/高さ）が、２〜８とされ、好ましくは３〜６とされていることを特徴とする受領チューブ。
【請求項３】
請求項１または２記載の受領チューブにおいて、
前記ベース（３０１，４０１）には、前記ゲッタピルどうしを離間させるための突起（３０４，３０５；４０５；６０４）が設けられていることを特徴とする受領チューブ。
【請求項４】
請求項１〜３のいずれか１項に記載の受領チューブにおいて、
前記金属製メッシュ（５１３）の側部が、波形形状とされ、これにより、前記ゲッタピルに対してのサイズ適合性が、より向上されているとともに、隣接する前記ゲッタピルどうしの間の隙間がより小さなものとされていることを特徴とする受領チューブ。
【請求項５】
請求項１〜４のいずれか１項に記載の受領チューブにおいて、
前記金属製メッシュが、開口を有し、
前記開口の直径が、１０〜５００μｍとされ、好ましくは２０〜３００μｍとされていることを特徴とする受領チューブ。
【請求項６】
請求項１〜５のいずれか１項に記載の受領チューブにおいて、
前記金属製メッシュが、編み込みワイヤから形成され、
前記ワイヤの直径が、０．０５ｍｍ〜０．３ｍｍとされていることを特徴とする受領チューブ。
【請求項７】
請求項１〜６のいずれか１項に記載の受領チューブにおいて、
前記金属製メッシュが、ニッケルベースの合金と、ＡＩＳＩ３０４あるいはＡＩＳＩ３１６のステンレススチールと、チタンと、ニッケルと、ニッケルメッキされた鉄と、からなるグループの中から選択された材料から形成されていることを特徴とする受領チューブ。
【請求項８】
請求項１〜７のいずれか１項に記載の受領チューブを製造するための方法であって、
予成形された金属製メッシュ内と、ベース上と、のいずれか一方にゲッタピルを配置し、
その後、前記金属製メッシュと前記ベースとを組み付ける、
ことを特徴とする方法。
【発明の詳細な説明】
【技術分野】
【０００１】
本発明は、太陽エネルギーコレクタの受領チューブの改良に関するものである。
【背景技術】
【０００２】
太陽エネルギーコレクタは、増加し続ける代替エネルギー源となってきている。このようなデバイスにおいては、より詳細には、太陽エネルギーコレクタの受領チューブにおいては、水素の存在が有害である。その理由は、水素が、熱除去流体が流れている中央チューブ状ボディから、受領チューブの外部に向けての、熱伝導を増大させるからである。この場合、水素の存在に関連した問題点は、特に深刻である。なぜなら、中央ボディを流れる流体が、高温で熱分解を起こし、水素を生成するからである。
【０００３】
また、新世代の受領チューブにおいては、高温における熱除去のための様々なタイプの流体が使用されている。水素の存在に関連する問題点、および、その結果として起こるデバイスの崩壊は、特に深刻である。なぜなら、そのような高温においては、受領チューブの金属部材からの水素ガス放出がかなり大きくなるからである。
【０００４】
受領チューブに関しては、内部が高温であることに関連したさらなる問題点が存在する。内部の高温は、ゲッタ材料を、水素吸蔵能力に関して、望ましくない動作状況としてしまう。すなわち、ゲッタ材料の水素吸蔵能力は、動作温度に反比例する。
【０００５】
この理由のために、いくつかの技術的対応策が提案されている。例えば、特許文献１に開示されているような技術的対応策が提案されている。特許文献１は、そり（sledge）の態様とされたデバイス（当該技術分野においては、「ブリッジ」とも称される）を開示している。この態様により、太陽放射からゲッタ材料を遮蔽する目的で、および、コレクタのうちの最高温度となる部分からゲッタ材料を遮蔽する目的で、受領チューブ内にゲッタ材料を配置して効果的に収容することができる。
【０００６】
このタイプのデバイスは、いくつかの欠点を有している。なぜなら、典型的には、ゲッタ材料が、圧縮粉末から形成されて例えば１０ｍｍ直径といったような標準サイズとされたピル（あるいは、錠剤、丸剤）の態様として使用されるからである。このことは、２０〜３０年間というデバイス動作寿命を保証し得るように十分な分量のゲッタ材料を受領チューブ内に導入可能とするためには、各そりが、２列のピルを収容すること、および、典型的には、各受領チューブが、２つのそりを収容することを意味する。
【０００７】
これは、互いに性質の異なる２つの問題点を引き起こす。第１に、互いに隣接して配置された２列のゲッタ材料ピルという態様でもってゲッタ材料を導入することが非常に困難である。第２に、ピルどうしが互いに対しておよびそりの壁に対して多くの接触ポイントを有することである。
【０００８】
これら接触ポイントは、脆弱領域を引き起こし、これにより、粉末が生成されてしまう。粉末の生成、および、ピルからの粉末の脱離は、それら粉末が適切な収容金属メッシュによって閉じ込められている場合であってさえも、できるだけ低減したい現象である。そのような脱離した粉末は、美観的な問題点だけではなく、機能的な問題点をも引き起こす（例えば、放射に曝されるべき表面の透明度の低下、およびその結果としての受領チューブの熱効率の低下）。
【０００９】
これらの問題点は、本願出願人による特許文献２によって既に解決されている。特許文献２においては、適切なサイズのピルをそり内に一列で配置することにより、粉末の生成を最小化している。特許文献２においては、付加的に、さらなる改良として、例えば弾性部材といったようなピル拘束部材を使用している。
【先行技術文献】
【特許文献】
【００１０】
【特許文献１】米国特許第６，８３２，６０８号明細書
【特許文献２】国際公開第２０１２／０１６８６５号パンフレット
【発明の概要】
【発明が解決しようとする課題】
【００１１】
本発明の目的は、粉末発生現象を低減させることであり、また、公知のデバイス構成に対してさらなる改良を加えることである。
【課題を解決するための手段】
【００１２】
本発明の第１見地においては、本発明は、１つまたは複数のゲッタシステムを含有した太陽エネルギーコレクタ受領チューブであって、ベースと、一列でもってあるいは複数の列でもってベース上に配置された、ゲッタ材料からなるゲッタピルと、ベース上に固定されているとともにゲッタピルを囲んでいる閉込用の金属製メッシュと、を備え、ゲッタピルの高さが、一様とされ、その高さが、１〜１０ｍｍであり、金属製メッシュが、非一様な高さを有したものとされているとともに、この金属製メッシュの最小高さと最大高さとによって規定される少なくとも１つの凹所を有し、金属製メッシュの最小高さが、ゲッタピルの高さに等しいものとされ、金属製メッシュの最大高さが、ゲッタピルの高さと比較して、１．０５〜２倍とされている。
【００１３】
好ましくは、ゲッタシステム内におけるゲッタピルの一様な高さは、２〜６ｍｍとされ、ゲッタシステム内においてゲッタピルを囲んでいる金属製メッシュの最大高さは、ゲッタピルの高さと比較して、１．２〜１．５倍とされる。
【００１４】
ゲッタシステムに関する上記の幾何学的形状特性が、とりわけ金属製メッシュに関する幾何学的特性が、組立後のシステムに関するものであることに注意されたい。実際、ゲッタシステム内において使用されるゲッタピルの高さよりも低い最小高さを有するようにして予成形された金属製メッシュを使用することが、特に好適である。その場合、金属製メッシュの弾性により、ゲッタシステムアセンブリ内にゲッタピルをより良好に保持することができる。
【００１５】
「ゲッタピルが一様な高さを有している」という記載は、典型的には適切なモールド内におけるゲッタ粉末のプレス工程を備えた製造プロセスといったようなゲッタピルの製造プロセスに起因するような、ゲッタピルどうしの間にわたっての高さの違いが最小であることを意味している。典型的には、そのような高さの違いは、１ｍｍの数十分の一である。
【００１６】
より好ましい実施形態においては、ゲッタシステム内におけるゲッタピルの直径は、１５〜３５ｍｍとされ、ゲッタピルの直径と高さとの比（直径/高さ）が、２〜８とされる。そのような形状特性を有したゲッタピルを使用することにより、単一のゲッタシステムを使用したとしても、太陽エネルギーコレクタ受領チューブの適切な寿命を保証することができる。
【００１７】
本発明につき、以下においては、添付図面を参照して、例示する。
【図面の簡単な説明】
【００１８】
【図１Ａ】本発明による受領チューブゲッタシステムを示す横断面図である。
【図１Ｂ】本発明による受領チューブゲッタシステムを示す横断面図である。
【図２Ａ】本発明による受領チューブゲッタシステムの代替可能な実施形態を示す横断面図である。
【図２Ｂ】本発明による受領チューブゲッタシステムの代替可能な実施形態を示す横断面図である。
【図３Ａ】本発明による受領チューブゲッタシステムを示す平面図である。
【図３Ｂ】図３ＡにおけるＡ−Ａ’線に沿った断面図である。
【図４Ａ】本発明による受領チューブゲッタシステムの代替可能な実施形態を示す平面図である。
【図４Ｂ】図４ＡにおけるＢ−Ｂ’線に沿った１つの可能な断面図である。
【図４Ｃ】図４ＡにおけるＢ−Ｂ’線に沿った他の可能な断面図である。
【図５】本発明による半組立された受領チューブゲッタシステムの代替可能な実施形態を示す底面図である。
【図６】本発明による受領チューブゲッタシステムを、一部を破断して示す斜視図である。
【発明を実施するための形態】
【００１９】
添付図面においては、各構成部材の寸法ならびに寸法比率は、とりわけゲッタピルの寸法やベースの厚さは、正確なものではなく、本発明の図示のために敢えて変更されている。
【００２０】
本発明においては、ゲッタシステムの弾性保持部材としても機能する金属製メッシュの形状のおかげで、ゲッタシステムの組立が、はるかに容易である。これは、ゲッタシステムの組立の１つの可能性として、予成形された金属製メッシュ内に、複数のゲッタピルが予め充填される場合には、格別の利点である。
【００２１】
さらに、本発明においては、ゲッタシステムのゲッタピルの表面積が大きい場合には、経時的な粉末生成量が少ないという点において性能が向上することとなり、さらなる利点をもたらすことができる。このタイプのゲッタピルの使用は、粉末生成という見地から（ゲッタピルの脆性が増大することのために）一般的には望ましくないものではあるけれども、このタイプのゲッタピルの使用は、太陽エネルギーコレクタ受領チューブにおいては、１つの受領チューブにつきただ１つのゲッタシステムを使用するだけで良いことのために、あるいは、一列のゲッタピルを有したゲッタシステムを使用できることのために、受領チューブ内においてゲッタシステムが占めるスペースを小さなものとすることができ、特に有利である。
【００２２】
高さを一定に維持したままゲッタピルの表面積を増大させると、脆性が大きくなって取扱いが困難となる。しかしながら、その逆に、高さを大きくすると、吸引速度に悪影響を及ぼし、ガス状不純物がゲッタピル内部領域へと到達することが困難となってしまう。したがって、大きな直径のゲッタピルを採用した時の悪影響のために、当業者は、そのような手法を採用してこなかった。また、本発明において使用されるゲッタピルが、ゲッタ材料粉末の適切な圧縮だけによって得られること、そのため、ゲッタ材料による水素吸蔵量に悪影響を及ぼしてしまうバインダが不要であること、に留意されたい。これが、太陽エネルギーコレクタ用途におけるゲッタピルの使用に際してゲッタピルの構造的制限に影響を与える基本的見地である。
【００２３】
上記の排反的現象に鑑み、ゲッタピル直径とゲッタピル高さとの間の最適比率は、２〜８である。３５ｍｍよりも大きな直径のゲッタピルの場合には、全く同じ問題点がある。
【００２４】
好ましくは、ゲッタピルの直径は、１８〜２５ｍｍとされ、直径と高さとの比率は、３〜６とされる。そのような寸法特性を有したゲッタピルが導入されたゲッタシステムを動作させることにより、受領チューブ内に十分な量のゲッタ材料を導入することができ、１つの受領チューブあたりにつき１つのゲッタシステムを使用した場合であっても、２０〜３０年間というデバイス寿命を保証することができる。これとは逆に、現在使用されている多くの装置構成においては、１つの受領チューブあたりにつき、２つのゲッタシステムを使用することを想定している。そのため、位置合わせという問題点や固定という問題点が発生してしまう。これに加えて、ベースだけでなく機械的支持のための構成部材までもが必要となることのために、すなわち閉込用の金属製メッシュやスペーサや適切な熱シールドといったような構成部材までもが必要となることのために、構造的コストという問題点が発生する。
【００２５】
上述したように、幾何形状特性を有したゲッタピルを使用する際の主要な困難性は、脆性が増大してしまって、ゲッタシステムの劣化を招いてしまうことである。
【００２６】
粉末生成を最小化するという技術的問題点は、本発明によって解決される。すなわち、本発明においては、ゲッタシステムの境界が金属製ベースと金属製メッシュとによって与えられるような、ゲッタシステムを使用し、金属製メッシュは、内部に導入されるゲッタピルの高さに対応した最小高さを有した少なくとも１つの凹所を備え、なおかつ、金属製メッシュの最大高さは、ゲッタピルの高さと比較して、１．０５〜２倍とされる。
【００２７】
ゲッタピル高さによって課される幾何学的制限に関し、本発明の構成は、予成形された金属製メッシュが、与えられた形状を維持することを保証するとともに、予成形された金属製メッシュが、良好な弾性を示すことを保証する。このことは、様々な利点をもたらすことができる。
【００２８】
まず最初に、ゲッタシステムの組立が容易であることである。すなわち、組み立てに際しては、ベース上において適切かつ所望の位置にゲッタピルを配置し、その後、予成形された金属製メッシュを、それらの上にかぶせるだけで良い。あるいはこれに代えて、予成形された金属製メッシュの中にゲッタピルを予め導入しておき、その後、金属製メッシュをベースに対して組み付けるだけで良い。
【００２９】
第２に、ゲッタシステムが剛直なものであって所定形状を維持するものであったとしても、弾性部材（金属製メッシュ）を備えていることのために、所定所を維持しつつも、凹所の幾何学的形状特性（すなわち、最小高さ）を変更することによって、ゲッタピルに起因するある程度の変形を可能とすることができる。
【００３０】
このことは、ゲッタシステムの組立を容易なものとするとともに、（水素吸着に起因する）ゲッタピルの膨潤に基づくゲッタピルの寸法的変形に対して適合することができる。そして、このことは、金属製メッシュに対してのゲッタピルの接触ポイントにおいて、すなわち、上側の境界および側方の境界のところにおける接触ポイントにおいて、ゲッタピル表面上へと印加される圧力および力を低減することができる。
【００３１】
第３に、本発明の構成においては、ゲッタピルどうしの間の無用の移動や衝突や接触を防止するための格別の弾性部材が不要である。なぜなら、水素吸着の結果としてゲッタピルが膨潤し始めこれによりゲッタピルの脆性が増大することを考慮したとしても、金属製メッシュの凹所が、十分な抑制効果を保証するからである。したがって、金属製メッシュの凹所は、ゲッタピルの表面に対してソフトな圧縮をもたらすものであって、ゲッタピルの移動を十分に抑制するという効果をもたらすことができる。
【００３２】
この効果は、ゲッタピルが一列とされたゲッタシステムと、ゲッタピルが複数の列とされたゲッタシステムと、の双方において、興味深い。大きな寸法を有して単一の列で配置されたゲッタピルの場合には、ゲッタピルの脆性が大きいけれども、ゲッタシステムの３つのサイドにおいて金属製メッシュがもたらすソフトな抑制のために、ゲッタピル構造の破壊を最大限に回避することができ、その結果、粉末生成を最大限に回避することができる。複数の列でゲッタピルが配置される場合には、ゲッタピルの破壊や粉末生成をもたらしかねないようなゲッタピルどうしの無用の衝突を、回避することができる。
【００３３】
本発明による太陽エネルギーコレクタ受領チューブのためのゲッタシステムの場合には、特許文献２の好ましい実施形態における弾性部材といったような弾性部材を、ゲッタピルどうしの間に配置する必要がない。これにより、ゲッタシステム内に、より多くのゲッタピルを導入することができる。これにより、水素に対しての全体的な吸着能力を増大させることができる。あるいはこれに代えて、ゲッタシステムの長さを、より短いものとすることができる。双方の見地は、例えばゲッタシステムといったような構成部材を挿入するスペースが制限されているような受領チューブにおいて、また、熱的制限のために配置領域が制限されてい場合（ゲッタ材料の水素吸着能力の低減を考慮すれば、受領チューブのうちの高温場所にゲッタ材料を配置することは、避けなければならない）において、興味深いものである。
【００３４】
さらなる利点は、金属製メッシュの高さを、ゲッタピルの高さと比較して、１．２〜１．５倍とした場合に得られる。なぜなら、その場合には、金属製メッシュが、その形状をより良好に維持する傾向があるからであり、また、ゲッタシステムを、より簡単に組み立て得るからである。
【００３５】
本発明による受領チューブゲッタシステムの最初の２つの実施形態が、図１Ａおよび図１Ｂに示されている。
【００３６】
図１Ａは、ゲッタシステム１００を示している。ゲッタシステム１００は、ベース１０１を備えている。このベース１０１上には、ゲッタピル１０２が配置されている。ゲッタピル１０２は、ゲッタシステムの最小高さｈｍｉｎに対応した高さを有している。ゲッタピル１０２は、金属製メッシュ１０３によって囲まれている。金属製メッシュ１０３は、ゲッタシステムの最大高さに対応した最大高さｈｍａｘを有している。金属製メッシュ１０３は、メッシュ凹所１０４に対応した限定的接触面積でもって、ゲッタピルの上面１０２’に対して接触している。ベース１０１は、さらに、２つの折曲箇所１０５，１０５’を有している。これら折曲箇所１０５，１０５’は、金属製メッシュ１０３を、所定位置に堅固に維持することができる。
【００３７】
図１Ｂは、同様のゲッタシステム１１０を示している。しかしながら、図１Ｂにおいては、ゲッタピルの上面と金属製メッシュとの間の接触面積は、より広いものとされており、接触面積の境界が、符号１１４’，１１４”によって示されている。それら境界は、金属製メッシュの凹所１１４の境界に対応している。
【００３８】
本発明による受領チューブゲッタシステムの代替可能な実施形態が、図２Ａおよび図２Ｂに示されている。図２Ａの実施形態においては、閉込用の金属製メッシュが２つの凹所２０４，２０５を有しているようなゲッタシステム２００が図示されている。ゲッタシステム２００においては、金属製メッシュとゲッタピル２０２の上面２０２’との間には、限定的な接触面積が形成されている。
【００３９】
図２Ｂは、閉込用の金属製メッシュが２つの凹所２１４，２１５を有しているようなゲッタシステム２１０が図示されている。しかしながら、図２Ｂの実施形態においては、ゲッタピルの上面と金属製メッシュとの間の接触面積は、より広いものとされており、接触面積の境界が、符号２１４’，２１４”，２１５’，２１５”によって示されている。
【００４０】
図１Ａ〜図２Ｂにおいては、金属製メッシュは、ベース自身の折曲箇所によって、ベース上に堅固に固定されている。この固定手法は、ベースに対して金属製メッシュを固定するに際して可能な多種多様な手法のうちの一例に過ぎない。他の等価な手法の例は、例えば、スポット溶接である。この場合には、最も効果的な態様は、金属製メッシュを、ベースの幅よりも長いものとすることであり、そして、金属製メッシュを、ベースの底面に対して溶接することである。この場合、好ましい実施形態においては、金属製メッシュは、部分的にオーバーラップするものとされる。これにより、オーバーラップ領域におけるただ１回の溶接操作でもって、システムを閉塞することができて、金属製メッシュを、ベースに対して堅固に固定することができる。
【００４１】
図１Ａ〜図２Ｂにおけるゲッタシステムの幾何学的形状特性が、３つの主要構成部材（ベース、ゲッタピル、および、閉込用の金属製メッシュ）を組み立てた後の状態であることに注意されたい。最終的な形状特性は、その組立方法は依存しない。例えば、まず最初にゲッタピルがベース上に配置され、その後に、金属製メッシュが、好ましくは予成形された金属製メッシュが、それらを囲むことができる。あるいはこれに代えて、予成形された金属製メッシュの内部にゲッタピルが予め充填される場合には、そのようなゲッタピルが予め充填された予成形済み金属製メッシュからなるサブアセンブリを、ベース上に組み付けることができる。
【００４２】
図３Ａは、本発明によるゲッタシステム３００を示す平面図である。この場合、ゲッタピル３０２，３０２’，…，は、一列でもって、ベース（図示せず）上に配置されている。互いに隣接しているゲッタピルどうしの間には、２つの突起３０４，３０５；３０４’，３０５’；３０４”，３０５”；…；が設けられている。これら突起は、ゲッタシステムの製造時に、ゲッタピルを適切な位置に配置するに際して有効である。それら突起は、ゲッタシステムのベースの両面を単にパンチング（punching）することによって、形成することができる。平面図においては、ベースを明瞭に見ることができない。なぜなら、ベースは、金属製メッシュによってカバーされているからである。また、金属製メッシュの凹所も図示されていない。いずれにしても、ベースの突起は、それら構成部材の機能を強調するのに有効である。
【００４３】
ベース、および、金属製メッシュの凹所は、Ａ−Ａ’線に沿った長手方向断面図を示す図３Ｂにおいて、明瞭に図示されている。図３Ｂにおいては、ベースは、ベース３０１として図示されており、閉込用の金属製メッシュ３０３の凹所の境界は、符号３０３’，３０３”によって図示されている。この場合、凹所は、ゲッタピルの列全体上にわたって延在している。しかしながら、上述したように、各ゲッタピルに対して１個ずつの凹所を設けることもできる。図３Ｂにおいては、ゲッタピル３０２，３０２’，…のうちの濃いグレーで示す部分は、ゲッタピルのうちの、突起を超えて側方に位置している部分である。というのは、図３Ａに示すように、突起３０４，３０５の間の間隔が、ゲッタピルの直径と比較して、狭いからである。
【００４４】
図４Ａは、ゲッタシステム４００を平面図で示している。ゲッタシステム４００においては、ゲッタピル４０２，４０２’，…，４１２，４１２’，…は、二列で配置されており、閉込用の金属製メッシュによって保持されている。ゲッタピルどうしの間隔は、突起４０５，４０５’，…によって補助されている。Ｂ−Ｂ’線に沿った２つの可能な横断面が、図４Ｂおよび図４Ｃに示されている。ゲッタシステム４１０，４２０の双方は、それぞれ符号４１３，４２３によって図示された閉込用の金属製メッシュを備えている。金属製メッシュは、２つの凹所を有している。図４Ｂのゲッタシステムにおいては、ゲッタピル４０２，４１２の上面と閉込用の金属製メッシュとの間の接触面積が、より広いものとされている。双方の場合において、閉込用の金属製メッシュは、ベース自身の折曲箇所によって、ベース４０１上に固定されている。
【００４５】
図５は、半組立されたゲッタシステム５００を示す底面図である。この半組立されたゲッタシステム５００は、一列をなすゲッタピル５０２，５０２’，…を、閉込用の金属製メッシュ５１３が保持することによって、構成されている。この場合、閉込用の金属製メッシュ５１３は、さらに、側部が、波形形状とされている。これにより、ゲッタピルに対してのサイズ適合性が、より向上されているとともに、隣接するゲッタピルどうしの間の隙間がより小さなものとされている。よって、ゲッタピルの移動拘束性を、より向上させることができる。図示していないものの、サブアセンブリの上部の形状や構成は、例えば図１Ａ〜図２Ｂに関して上述したようなものと、同様である。
【００４６】
最後に、より明瞭な理解のために、図６は、本発明による太陽エネルギーコレクタ受領チューブのためのゲッタシステム６００を、一部を破断した斜視図によって示している。特に、図６は、ベースと、一列をなす複数のゲッタピルのうちの最初のゲッタピル６０２と、複数のベース突起のうちの最初のベース突起６０４と、閉込用の金属製メッシュ６０３の最大高さ部分６０３’と、を示している。
【００４７】
すべての図面は、本発明による様々な受領チューブゲッタシステムのうちのいくつかを例示しているに過ぎない。
【００４８】
本発明によるシステムにおいて使用される金属製メッシュ（あるいは、金属製ネット）に関し、金属製メッシュは、複数の穴を有することができる、あるいはより一般的には、複数の開口を有することができる。開口の直径は、１０〜５００μｍとされる。好ましくは、金属製メッシュの開口の直径は、２０〜３００μｍとされる。開口が円形でない場合には、それらサイズは、最も長い寸法を示すこととなる。金属製メッシュは、編み込みワイヤとすることができ、ワイヤは、好ましくは、０．０５〜０．３０ｍｍという直径を有している。
【００４９】
本発明による受領チューブゲッタシステムのための金属製メッシュを形成するに際して特に好適に使用される材料には、ニッケルベースの合金、ＡＩＳＩ３０４あるいはＡＩＳＩ３１６のステンレススチール、チタン、ニッケル、および、ニッケルメッキされた鉄、がある。これら材料は、上述したようなメッシュとして使用した場合に、本発明の要求に応じて予成形された後において、最良の形状保持特性を有した材料である。
【００５０】
ゲッタピルのための好ましいゲッタ材料は、高温で使用した場合であっても良好な水素吸蔵能力を示すゲッタ材料である。
【００５１】
したがって、本発明において有効な好ましいゲッタ材料には、米国特許第３，２０３，９０１号明細書に記載されたもの（Ｚｒ−Ａｌ合金）、米国特許第４，３０６，８８７号明細書に記載されたもの（Ｚｒ−Ｆｅ合金）、英国特許第２，０７７，４８７号明細書に記載されたもの（Ｚｒ−Ｖ−Ｆｅ合金）、米国特許第５，９６１，７５０号明細書に記載されたもの（Ｚｒ−Ｃｏ−希土類合金）、がある。水素吸蔵特性に関しては、特に高温での水素吸蔵特性に関しては、国際公開第２００７／１４８３６２号パンフレットや国際公開第２００７／０９９５７５号パンフレットや国際公開第２０１０／１０５９４５号パンフレットに開示されているように、イットリウム合金の使用が公知である。上述したようなゲッタ合金は、本発明において好適に使用されるものである。しかしながら、本発明においては、任意の水素ゲッタ材料を使用することができる。さらに、互いに異なる複数のゲッタ材料から形成されたゲッタピルを使用することができる。また、システムに対して、互いに異なる複数のタイプのゲッタピルを導入することができる。
【符号の説明】
【００５２】
１０１  ベース
１０２  ゲッタピル
１０３  金属製メッシュ
１０４  凹所
１１４  凹所
２０２  ゲッタピル
２０４  凹所
２０５  凹所
２１４  凹所
２１５  凹所
３０１  ベース
３０２  ゲッタピル
３０３  金属製メッシュ
３０４  突起
３０５  突起
４０１  ベース
４０２  ゲッタピル
４０５  突起
４１２  ゲッタピル
４１３  金属製メッシュ
４２３  金属製メッシュ
５０２  ゲッタピル
５１３  金属製メッシュ
６０１  ベース
６０２  ゲッタピル
６０３  金属製メッシュ
６０４  突起
【図１Ａ】
0005926404.tif 000002
【図１Ｂ】
0005926404.tif 000003
【図２Ａ】
0005926404.tif 000004
【図２Ｂ】
0005926404.tif 000005
【図３Ａ】
0005926404.tif 000006
【図３Ｂ】
0005926404.tif 000007
【図４Ａ】
0005926404.tif 000008
【図４Ｂ】
0005926404.tif 000009
【図４Ｃ】
0005926404.tif 000010
【図５】
0005926404.tif 000011
【図６】
0005926404.tif 000012